(57)【要約】【課題】一の電話番号を用いて通話を行っている場合に、自端末に対応する他方の電話番号を通知することができる通信システム、携帯通信端末及び通信方法を提供すること。【解決手段】通信システム１の第１携帯電話装置１０は、第１携帯電話装置１０の電話番号である、第１電話番号と第２電話番号とを記憶する第１記憶部１５と、第１電話番号と第２電話番号とのいずれか一方の電話番号を選択して第２携帯電話装置２０との通信を実行する第１通信部１４と、第１電話番号による第２携帯電話装置２０との通信の際に、選択された電話番号を第２携帯電話装置２０に送信する第１制御部１７と、を備える。通信システム１の第２携帯電話装置２０は、第１携帯電話装置１０との通信の際に、第１携帯電話装置１０から選択された電話番号を受信する第２通信部２４を備える。【選択図】図２
2012175462.tif 000002
【特許請求の範囲】
【請求項１】
第１携帯通信端末と第２携帯通信端末とがネットワークを介して互いに通信可能な通信システムであって、
前記第１携帯通信端末は、
前記第１携帯通信端末の電話番号である、第１電話番号と第２電話番号とを記憶する第１記憶部と、
前記第１電話番号と前記第２電話番号とのいずれか一方の電話番号によって前記第２携帯通信端末との通信を実行する第１通信部と、
前記第１電話番号による前記第２携帯通信端末との通信の際に、前記第２電話番号を前記第２携帯通信端末に送信する第１制御部と、を備え、
前記第２携帯通信端末は、
前記第１携帯通信端末との通信の際に、前記第１携帯通信端末から前記第２電話番号を受信する第２通信部を備える、
通信システム。
【請求項２】
前記第２携帯通信端末は、
電話番号を記憶する第２記憶部と、
前記第１電話番号による前記第１携帯通信端末との通信の際に前記第２電話番号を受信した場合において、前記第２記憶部に前記第１電話番号が記憶されているとき、前記第２電話番号を前記第１電話番号に関連付けて前記第２記憶部に記憶させる第２制御部と、を備える、
請求項１に記載の通信システム。
【請求項３】
前記第２制御部は、前記第２電話番号を前記第１電話番号より優先度の高い電話番号として記憶させる、
請求項２に記載の通信システム。
【請求項４】
前記第２制御部は、前記第２電話番号を記憶させた場合、前記第１電話番号を前記第２記憶部から削除する、
請求項２又は３のいずれか１項に記載の通信システム。
【請求項５】
前記第２制御部は、前記第１電話番号を、前記第１電話番号による通信が終了した際に前記第２記憶部から削除する、
請求項４に記載の通信システム。
【請求項６】
前記第２制御部は、前記第２電話番号による前記第１携帯通信端末との通信の際に、前記第２電話番号が記憶されている場合、前記第１電話番号を削除する、
請求項２に記載の通信システム。
【請求項７】
前記第２制御部は、前記第２電話番号を記憶させた場合、前記第２電話番号を記憶した旨を示す情報を前記第２通信部により前記第１携帯通信端末に送信する、
請求項２から６のいずれか１項に記載の通信システム。
【請求項８】
前記第１制御部は、前記第１電話番号による前記第２携帯通信端末との通信の際に、当該通信における通信回線を介して前記第２電話番号を送信する、
請求項１から７のいずれか１項に記載の通信システム。
【請求項９】
前記第１制御部は、前記第２携帯通信端末への前記第２電話番号の送信件数が所定の閾値に達した後、前記第２携帯通信端末との通信の際に、前記第１電話番号を削除する旨の信号を送信する、
請求項１から８のいずれか１項に記載の通信システム。
【請求項１０】
第１電話番号と第２電話番号とを自端末の電話番号として記憶する記憶部と、
前記第１電話番号と前記第２電話番号とのいずれか一方の電話番号を選択して他の携帯端末との通信を実行する通信部と、
前記第１電話番号による通信の際に、前記第２電話番号を通信先の携帯通信端末に送信する制御部と、
を備える携帯通信端末。
【請求項１１】
通信時に電話番号を受信する通信部と、
電話番号を記憶する記憶部と、
第１電話番号による他の携帯通信端末との通信の際に、前記通信部により第２電話番号を受信した場合において、前記記憶部に前記第１電話番号が記憶されているとき、前記第２電話番号を前記第１電話番号に関連付けて記憶させる制御部と、
を備える携帯通信端末。
【請求項１２】
ネットワークを介して互いに通信可能な第１携帯通信端末と第２携帯通信端末とが実行する通信方法であって、
前記第１携帯通信端末が、第１電話番号と第２電話番号とを自端末の電話番号として記憶する第１記憶部を備え、
前記第２携帯通信端末が、電話番号を記憶する第２記憶部を備え、
前記第１携帯通信端末が、前記第１電話番号による前記第２携帯通信端末との通信の際に、前記第２電話番号を前記第２携帯通信端末に送信するステップと、
前記第２携帯通信端末が、前記第１携帯通信端末から前記第２電話番号を受信するステップと、
を含む通信方法。
【請求項１３】
第１携帯通信端末と第２携帯通信端末とがネットワークを介して互いに通信可能な通信システムであって、
前記第１携帯通信端末は、
第１携帯通信端末のメールアドレスである第１メールアドレスと第２メールアドレスとを記憶する第１記憶部と、
前記第１メールアドレスと前記第２メールアドレスとのいずれか一方のメールアドレスを送信元メールアドレスとして前記第２携帯通信端末にメールを送信する第１通信部と、
前記第１メールアドレスを送信元メールアドレスとして前記第２携帯通信端末にメールを送信する際に、前記第２メールアドレスを前記第２携帯通信端末に送信する第１制御部と、を備え、
前記第２携帯通信端末は、
前記第１携帯通信端末から前記第１メールアドレスを送信元メールアドレスとしたメールを受信するとともに、前記第２メールアドレスを受信する第２通信部を備える、
通信システム。
【発明の詳細な説明】
【技術分野】
【０００１】
本発明は、通信システム、携帯通信端末及び通信方法に関する。
【背景技術】
【０００２】
携帯電話装置等の利用に際して、ユーザは、携帯電話装置を新たに購入する等によって、電話番号を変更することがある。
【０００３】
携帯電話装置のユーザの多くは、電話番号を変更したことに応じて、他のユーザに対して電話番号を変更した旨を通知する。一方、電話番号を変更した旨を通知されたユーザは、自身の携帯電話装置のアドレス帳に対して、新たな電話番号を登録する必要がある。しかしながら、当該通知されたユーザが新たな電話番号を登録するには、通知したユーザのアドレス帳を検索したり、通知したユーザに対応し、アドレス帳に含まれるアドレス情報に、新たな電話番号を関連付けたりする等の操作が必要である。このため、当該通知されたユーザにとって、新たな電話番号の登録作業が煩雑な作業になっている。
【０００４】
そこで、アドレス帳に対して新たな電話番号を登録する必要がある場合に、簡易的な方法で登録を行う方法が提案されている（例えば、特許文献１参照）。すなわち、特許文献１では、第１の携帯電話装置が、第２の携帯電話装置との通信の際に、自己のプロフィール情報を含む電話帳データ通知応答信号を第２の携帯電話装置に送信し、第２の携帯電話装置が、電話帳データ通知応答信号を受信して、当該電話帳データ通知応答信号に含まれるプロフィール情報を記憶する方法が開示されている。
【先行技術文献】
【特許文献】
【０００５】
【特許文献１】特開２００２−３００２６４号公報
【発明の概要】
【発明が解決しようとする課題】
【０００６】
ところで、近年、例えば固有情報と紐付けられたＳＩＭカードを複数装着することにより、複数の固有情報のうち、いずれかを使用して通信を行うことができる携帯電話装置が提案されている。第１ユーザが、このような携帯電話装置を使用する場合、当該携帯電話装置に対応する複数の固有情報のうち、一部の固有情報を第２ユーザが知らない場合がある。このような場合に、特許文献１の方法を用いた場合、以下のような問題が発生するおそれがある。
【０００７】
例えば、固有情報を電話番号とした場合、第２ユーザが当該一部の電話番号があることを認識するには、第１ユーザが新たな電話番号を使用して第２のユーザの携帯電話装置に発信する必要がある。しかしながら、第２ユーザは、新たな電話番号から着信があっても、相手が第１ユーザであることを認識することができず、着信に応答することを拒否する場合がある。このような場合には、そもそも第２ユーザが着信に応答しないので、特許文献１に開示された方法によっては、一部の電話番号を通知することができない。
【０００８】
そこで、本発明は、一の電話番号を用いて通話を行っている場合に、自端末に対応する他方の電話番号を通知することができる通信システム、携帯通信端末及び通信方法を提供することを目的とする。
【課題を解決するための手段】
【０００９】
本発明に係る通信システムは、第１携帯通信端末と第２携帯通信端末とがネットワークを介して互いに通信可能な通信システムであって、前記第１携帯通信端末は、前記第１携帯通信端末の電話番号である、第１電話番号と第２電話番号とを記憶する第１記憶部と、前記第１電話番号と前記第２電話番号とのいずれか一方の電話番号によって前記第２携帯通信端末との通信を実行する第１通信部と、前記第１電話番号による前記第２携帯通信端末との通信の際に、前記第２電話番号を前記第２携帯通信端末に送信する第１制御部と、を備え、前記第２携帯通信端末は、前記第１携帯通信端末との通信の際に、前記第１携帯通信端末から前記第２電話番号を受信する第２通信部を備える。
【００１０】
また、上記通信システムでは、前記第２携帯通信端末は、電話番号を記憶する第２記憶部と、前記第１電話番号による前記第１携帯通信端末との通信の際に前記第２電話番号を受信した場合において、前記第２記憶部に前記第１電話番号が記憶されているとき、前記第２電話番号を前記第１電話番号に関連付けて前記第２記憶部に記憶させる第２制御部と、を備えることが好ましい。
【００１１】
また、上記通信システムでは、前記第２制御部は、前記第２電話番号を前記第１電話番号より優先度の高い電話番号として記憶させることが好ましい。
【００１２】
また、上記通信システムでは、前記第２制御部は、前記第２電話番号を記憶させた場合、前記第１電話番号を前記第２記憶部から削除することが好ましい。
【００１３】
また、上記通信システムでは、前記第２制御部は、前記第１電話番号を、前記第１電話番号による通信が終了した際に前記第２記憶部から削除することが好ましい。
【００１４】
また、上記通信システムでは、前記第２制御部は、前記第２電話番号による前記第１携帯通信端末との通信の際に、前記第２電話番号が記憶されている場合、前記第１電話番号を削除することが好ましい。
【００１５】
また、上記通信システムでは、前記第２制御部は、前記第２電話番号を記憶させた場合、前記第２電話番号を記憶した旨を示す情報を前記第２通信部により前記第１携帯通信端末に送信することが好ましい。
【００１６】
また、上記通信システムでは、前記第１制御部は、前記第１電話番号による前記第２携帯通信端末との通信の際に、当該通信における通信回線を介して前記第２電話番号を送信することが好ましい。
【００１７】
また、上記通信システムでは、前記第１制御部は、前記第２携帯通信端末への前記第２電話番号の送信件数が所定の閾値に達した後、前記第２携帯通信端末との通信の際に、前記第１電話番号を削除する旨の信号を送信することが好ましい。
【００１８】
本発明に係る携帯通信端末は、第１電話番号と第２電話番号とを自端末の電話番号として記憶する記憶部と、前記第１電話番号と前記第２電話番号とのいずれか一方の電話番号を選択して他の携帯端末との通信を実行する通信部と、前記第１電話番号による通信の際に、前記第２電話番号を通信先の携帯通信端末に送信する制御部と、を備える。
【００１９】
本発明に係る携帯通信端末は、通信時に電話番号を受信する通信部と、電話番号を記憶する記憶部と、第１電話番号による他の携帯通信端末との通信の際に、前記通信部により第２電話番号を受信した場合において、前記記憶部に前記第１電話番号が記憶されているとき、前記第２電話番号を前記第１電話番号に関連付けて記憶させる制御部と、を備える。
【００２０】
本発明に係る通信方法は、ネットワークを介して互いに通信可能な第１携帯通信端末と第２携帯通信端末とが実行する通信方法であって、前記第１携帯通信端末が、第１電話番号と第２電話番号とを自端末の電話番号として記憶する第１記憶部を備え、前記第２携帯通信端末が、電話番号を記憶する第２記憶部を備え、前記第１携帯通信端末が、前記第１電話番号による前記第２携帯通信端末との通信の際に、前記第２電話番号を前記第２携帯通信端末に送信するステップと、前記第２携帯通信端末が、前記第１携帯通信端末から前記第２電話番号を受信するステップと、を含む。
【００２１】
本発明に係る通信システムは、第１携帯通信端末と第２携帯通信端末とがネットワークを介して互いに通信可能な通信システムであって、前記第１携帯通信端末は、第１携帯通信端末のメールアドレスである第１メールアドレスと第２メールアドレスとを記憶する第１記憶部と、前記第１メールアドレスと前記第２メールアドレスとのいずれか一方のメールアドレスを送信元メールアドレスとして前記第２携帯通信端末にメールを送信する第１通信部と、前記第１メールアドレスを送信元メールアドレスとして前記第２携帯通信端末にメールを送信する際に、前記第２メールアドレスを前記第２携帯通信端末に送信する第１制御部と、を備え、前記第２携帯通信端末は、前記第１携帯通信端末から前記第１メールアドレスを送信元メールアドレスとしたメールを受信するとともに、前記第２メールアドレスを受信する第２通信部を備える。
【発明の効果】
【００２２】
本発明によれば、一の電話番号を用いて通話を行っている場合に、自端末に対応する他方の電話番号を通知することができる。
【図面の簡単な説明】
【００２３】
【図１】本実施形態に係る通信システムの構成を示す図である。
【図２】本実施形態に係る第１携帯電話装置及び第２携帯電話装置の機能構成を示すブロック図である。
【図３】本実施形態に係る第２携帯電話装置が、第１携帯電話装置から第２電話番号を受信した場合に、当該第２電話番号を記憶するときの画面遷移の一例を示す図である。
【図４】本実施形態に係る第２携帯電話装置の発信操作画面の一例を示す図である。
【図５】本実施形態に係る第２電話番号の送信状況を示す画面の一例を示す図である。
【図６】本実施形態に係る第２電話番号の送信が完了していないユーザを表示する画面の一例を示す図である。
【図７】第１携帯電話装置により第２電話番号を送信する場合の処理の流れの一例を示す図である。
【図８】第１携帯電話装置により第２電話番号を送信する場合の処理の流れの別の一例を示す図である。
【図９】第２携帯電話装置において第１電話番号を消去する場合の処理の流れの一例を示す図である。
【発明を実施するための形態】
【００２４】
以下、図面を参照して本発明を実施するための形態を説明する。
図１は、本実施形態に係る通信システム１の概要を示す図である。
通信システム１は、第１携帯通信端末としての第１携帯電話装置１０と、第２携帯通信端末としての第２携帯電話装置２０と、複数の基地局５０と、を備える。第１携帯電話装置１０及び第２携帯電話装置２０は、それぞれ基地局５０を介して電話回線等からなるネットワークＮで接続されており、アドレス情報の送受信を行う。
【００２５】
図２は、本実施形態に係る通信システム１の機能構成を示すブロック図である。なお、本ブロック図では、基地局５０の図示を省略する。
【００２６】
図２に示されるように、通信システム１の第１携帯電話装置１０は、第１表示部１１と、第１操作部１２と、第１音声部１３と、第１通信部１４と、第１記憶部１５と、第１カード装着部１６と、第１制御部１７とを備える。
【００２７】
第１表示部１１は、第１制御部１７の制御に従って、所定の画像処理を行い、処理後の画像データをフレームメモリ（図示せず）に蓄え、所定のタイミングでディスプレイに出力する。
【００２８】
第１操作部１２は、各種設定機能、電話帳機能、メール機能等の各種機能を作動させるための機能設定操作ボタン、電話番号の数字やメールの文字等を入力するための入力操作ボタン、各種操作における決定やスクロール等を行う決定操作ボタン等から構成される。そして、第１操作部１２は、ユーザから各種指示入力を受け付け、受け付けられた入力情報を第１制御部１７に供給する。
【００２９】
第１音声部１３は、第１制御部１７の制御に従って、第１通信部１４から供給された信号に対して所定の音声処理を行い、処理後の信号を第１携帯電話装置１０に設けられているスピーカ（図示せず）に出力する。また、第１音声部１３は、第１制御部１７の制御に従って、第１携帯電話装置１０に設けられているマイク（図示せず）から入力された信号を処理し、処理後の信号を第１通信部１４へ出力する。
【００３０】
第１通信部１４は、第１アンテナ（図示せず）と、第１ＲＦ回路部（図示せず）と、第２アンテナと、第２ＲＦ回路部とを備える。第１通信部１４は、第１制御部１７の制御に従って、第１の通信方式と第２の通信方式とのいずれか一方を選択し、基地局５０等の外部機器を介して第２携帯電話装置２０と通信を実行する。
【００３１】
具体的には、第１通信部１４は、第１の通信方式により受信を行う場合、第１アンテナより受信した信号を第１ＲＦ回路部を用いて復調処理し、処理後の信号を第１制御部１７に供給する。また、第１通信部１４は、第１の通信方式により送信を行う場合、第１制御部１７から供給された信号を第１ＲＦ回路部を用いて変調処理し、第１アンテナにより外部装置（基地局５０）に送信する。
【００３２】
また、第１通信部１４は、第２の通信方式により受信を行う場合、第２アンテナより受信した信号を第２ＲＦ回路部を用いて復調処理し、処理後の信号を第１制御部１７に供給する。また、第１通信部１４は、第２の通信方式により送信を行う場合、第１制御部１７から供給された信号を第２ＲＦ回路部を用いて変調処理し、第２アンテナにより外部装置（基地局５０）に送信する。
【００３３】
また、第１通信部１４は、第１制御部１７の制御に従って通話に係る通信を実行する場合、第１の通信方式に対応する第１電話番号と第２の通信方式に対応する第２電話番号とのいずれか一方の電話番号を選択し、基地局５０等の外部機器を介して、第２携帯電話装置２０等と通信を実行する。
【００３４】
なお、第１の通信方式は、例えば、ＴＤＭＡ（Ｔｉｍｅ  Ｄｉｖｉｓｉｏｎ  Ｍｕｌｔｉｐｌｅ  Ａｃｃｅｓｓ）方式である。第２の通信方式は、例えば、ＣＤＭＡ（Ｃｏｄｅ  Ｄｉｖｉｓｉｏｎ  Ｍｕｌｔｉｐｌｅ  Ａｃｃｅｓｓ）方式やＬＴＥ（Ｌｏｎｇ  Ｔｅｒｍ  Ｅｖｏｌｕｔｉｏｎ）方式である。
【００３５】
第１記憶部１５は、例えば、ワーキングメモリを含み、第１制御部１７による演算処理に利用される。また、第１記憶部１５は、電話番号とメールアドレスとアドレス名（例えば、ユーザ名）とを関連付けてアドレス帳情報として記憶する。また、第１記憶部１５は、第２電話番号の送信が完了した電話番号に対して、第２電話番号の送信が完了した旨を示す情報を関連付けて記憶し、例えば、第１電話番号及び第２電話番号並びに第１メールアドレス及び第２メールアドレスを後述する第１ＳＩＭ（Ｓｕｂｓｃｒｉｂｅｒ  Ｉｄｅｎｔｉｔｙ  Ｍｏｄｕｌｅ）カード１６１及び第２ＳＩＭカード１６２から取得して記憶する。
【００３６】
第１カード装着部１６は、１又は複数のＳＩＭカードを装着する。第１カード装着部１６に装着されたＳＩＭカードの情報は、第１制御部１７によって読み出され、一部が第１記憶部１５に記憶される。ここでは、第１ＳＩＭカード１６１と、第２ＳＩＭカード１６２と、を装着しているものとする。
【００３７】
第１ＳＩＭカード１６１は、加入者情報、第１携帯電話装置１０のユーザが契約している通信事業者を識別する情報や第１電話番号や第１メールアドレスが記憶されている。第１電話番号は、第１通信部１４により通話に係る通信を行う場合に、第１携帯電話装置１０の発呼番号又は着呼番号として使用される。第１メールアドレスは、第１通信部１４によりメールに係る通信を行う場合に、第１携帯電話装置１０のメールアドレスとして使用される。
【００３８】
第２ＳＩＭカード１６２は、加入者情報、第１携帯電話装置１０のユーザが契約している通信事業者を識別する情報や第２電話番号や第２メールアドレスが記憶されている。第２電話番号は、第１通信部１４により通話に係る通信を行う場合に、第１携帯電話装置１０の発呼番号又は着呼番号として使用される。第２メールアドレスは、第１通信部１４によりメールに係る通信を行う場合に、第１携帯電話装置１０のメールアドレスとして使用される。
【００３９】
第１制御部１７は、第１携帯電話装置１０の全体を制御しており、例えば、第１表示部１１、第１音声部１３、第１通信部１４等に対して所定の制御を行う。また、第１制御部１７は、第１操作部１２等から入力を受け付けて、各種処理を実行する。また、第１制御部１７は、処理実行の際には、第１記憶部１５を制御し、各種プログラム及びデータの読み出し、並びにデータの書き込みを行う。第１制御部１７の詳細な処理については、後述する。
【００４０】
図２に示されるように、通信システム１の第２携帯電話装置２０は、第２表示部２１と、第２操作部２２と、第２音声部２３と、第２通信部２４と、第２記憶部２５と、第２カード装着部２６と、第２制御部２７とを備える。
【００４１】
第２表示部２１は、第２制御部２７の制御に従って、所定の画像処理を行い、処理後の画像データをフレームメモリ（図示せず）に蓄え、所定のタイミングでディスプレイに出力する。
【００４２】
第２操作部２２は、各種設定機能、電話帳機能、メール機能等の各種機能を作動させるための機能設定操作ボタン、電話番号の数字やメールの文字等を入力するための入力操作ボタン、各種操作における決定やスクロール等を行う決定操作ボタン等から構成される。そして、第２操作部２２は、ユーザから各種指示入力を受け付け、受け付けられた入力情報を第２制御部２７に供給する。
【００４３】
第２音声部２３は、第２制御部２７の制御に従って、後述の第２通信部２４から供給された信号に対して所定の音声処理を行い、処理後の信号を第２携帯電話装置２０に設けられているスピーカ（図示せず）に出力する。また、第２音声部２３は、第２制御部２７の制御に従って、第２携帯電話装置２０に設けられているマイク（図示せず）から入力された信号を処理し、処理後の信号を第２通信部２４へ出力する。
【００４４】
第２通信部２４は、第３アンテナ（図示せず）と、第３ＲＦ回路部（図示せず）とを備える。第２通信部２４は、第２制御部２７の制御に従って、所定の通信方式により、基地局５０等の外部機器と信号の送受信を行う。
【００４５】
具体的には、第２通信部２４は、第３アンテナより受信した信号を第３ＲＦ回路部を用いて復調処理し、処理後の信号を第２制御部２７に供給する。また、第２通信部２４は、第２制御部２７から供給された信号を第３ＲＦ回路部を用いて変調処理し、第３アンテナにより外部装置（基地局５０）に送信する。
【００４６】
第２記憶部２５は、例えば、ワーキングメモリを含み、第２制御部２７による演算処理に利用される。また、第２記憶部２５は、電話番号とメールアドレスとアドレス名とを関連付けてアドレス帳情報として記憶する。なお、第２記憶部２５は、契約情報記録媒体として、第３ＳＩＭカード２６１から、取得された情報を記憶する。
【００４７】
第２カード装着部２６は、ＳＩＭカードを装着する。第２カード装着部２６に装着されたＳＩＭカードの情報は、第２制御部２７によって読み出され、一部が第２記憶部２５に記憶される。ここでは、第３ＳＩＭカード２６１を装着しているものとする。
第３ＳＩＭカード２６１は、加入者情報、第２携帯電話装置２０のユーザが契約している通信事業者を識別する情報や第３電話番号が記憶されている。第３電話番号は、第２通信部２４により通話に係る通信を行う場合に、第２携帯電話装置２０の発呼番号又は着呼番号として使用される。
【００４８】
第２制御部２７は、第２携帯電話装置２０の全体を制御しており、例えば、第２表示部２１、第２音声部２３、第２通信部２４等に対して所定の制御を行う。また、第２制御部２７は、第２操作部２２等から入力を受け付けて、各種処理を実行する。また、第２制御部２７は、処理実行の際には、第２記憶部２５を制御し、各種プログラム及びデータの読み出し、並びにデータの書き込みを行う。第２制御部２７の詳細な処理については、後述する。
【００４９】
このように構成される通信システム１の第１携帯電話装置１０及び第２携帯電話装置２０は、通信中に電話番号を送受信する機能を有する。以下に当該機能について説明する。
【００５０】
第１制御部１７は、第１通信部１４により第２携帯電話装置２０と通話に係る通信を実行している場合に、第１電話番号及び第２電話番号のうち、通話に使用されていない電話番号を第２携帯電話装置２０に送信する。
ここでは、通話に使用されている電話番号が第１通信方式に対応する第１電話番号であり、通話に使用されていない電話番号が第２通信方式に対応する第２電話番号であるものとして説明を進める。
【００５１】
すなわち、第１制御部１７は、第１通信部１４により、第１電話番号を使用して第２携帯電話装置２０と通話に係る通信を実行している場合に、当該通話における通信回線を介して、通話に使用されていない第２電話番号を第２携帯電話装置２０に送信する。ここで、第２電話番号を送信する手段として、例えば、ＣＣ（Ｃｅｌｌ  Ｃｏｎｔｒｏｌ）メッセージのＵＵＩ（Ｕｓｅｒ−Ｕｓｅｒ  Ｉｎｆｏｒｍａｔｉｏｎ）が使用される。
【００５２】
一方、第２制御部２７は、第１電話番号を通話先の電話番号として、第１携帯電話装置１０と通話に係る通信を実行している場合に、第１携帯電話装置１０から第２電話番号を受信する。
【００５３】
続いて、第２制御部２７は、第２電話番号を受信した場合、第２記憶部２５に記憶されているアドレス帳情報を検索して、第１電話番号が記憶されているか否かを判定する。第２制御部２７は、第１電話番号が記憶されていると判定した場合に、第２電話番号を第１電話番号に関連付けて第２記憶部２５のアドレス帳情報に記憶させる。
【００５４】
また、第２制御部２７は、第２電話番号を第１電話番号に関連付けて第２記憶部２５に記憶させる場合に、第２電話番号を第１電話番号に比べて通話時に優先的に選択される電話番号として記憶させる。
【００５５】
なお、第２制御部２７は、第２電話番号を受信した場合において第１電話番号が記憶されていると判定したとき、第２電話番号を記憶させるか否かについて第２携帯電話装置２０のユーザから選択を受け付けるようにしてもよい。そして、第２制御部２７は、第２電話番号を記憶させることを受け付けた場合に、当該第２電話番号を記憶させるようにしてもよい。
【００５６】
図３は、第２携帯電話装置２０が、第１携帯電話装置１０から第２電話番号を受信した場合に、当該第２電話番号を記憶するときの画面遷移の一例を示す図である。なお、第１携帯電話装置１０の第１電話番号は、「０７０−ＸＸＸＸ−ＸＸＸＸ」であり、第２電話番号は、「０９０−ＸＸＸＸ−ＸＸＸＸ」であるものとする。
【００５７】
第１携帯電話装置１０から第１電話番号により着信があった場合に第２電話番号を受信すると、第２制御部２７は、図３（ａ）に示すように、第２電話番号を受信した旨を、「新規電話番号受信通知」として第２表示部２１に表示させる。
【００５８】
続いて、第２制御部２７は、第１電話番号が第２記憶部２５に記憶されている場合、図３（ｂ）に示すように、第２電話番号を第２記憶部２５のアドレス帳に記憶させるか否かを選択する画面を表示させる。この画面において、第２携帯電話装置２０のユーザによって、第２操作部２２を介して「はい」と表示されているボタンが押下されると、第２制御部２７は、第２電話番号を第１電話番号に関連付けて第２記憶部２５のアドレス帳情報に記憶させ、図３（ｃ）に示す第２電話番号を記憶した旨を示す画面を表示させる。
【００５９】
また、「いいえ」が押下された際には、第２制御部２７は、アドレス帳情報に第２電話番号を追加させずに、電話番号の記憶を終了させるか、「○山△太」とは別のアドレス帳情報として第２電話番号を記憶させるようにしてもよい。
なお、図３（ｂ）において、アドレス帳情報に記憶させるか否かを選択する画面を表示させることに限られず、第２制御部２７は、当該画面を表示させずに、自動的に第２電話番号を第２記憶部２５のアドレス帳情報に記憶させるようにしてもよい。
【００６０】
そして、第２電話番号が第１電話番号に関連付けられて記憶された後に、第２記憶部２５のアドレス帳情報を使用して第１携帯電話装置１０と通話に係る通信を行う場合、第２制御部２７は、第２電話番号が選択されている状態で第１携帯電話装置１０に係るアドレス帳情報を第２表示部２１に表示させ、通信の開始操作を受け付ける。
【００６１】
図４は、第２携帯電話装置２０の発信操作画面の一例を示す図である。ここでは、発信に使用する電話番号が破線枠２１１によって囲まれているものとする。図４では、発信時に、第２電話番号である「０９０−ＸＸＸＸ−ＸＸＸＸ」が選択されていることが確認できる。
【００６２】
また、第２制御部２７は、第２電話番号を第１電話番号に関連付けて第２記憶部２５のアドレス帳情報に記憶させた場合、第２電話番号を記憶した旨を示す情報を、第２通信部２４を介して第１携帯電話装置１０に送信する。
【００６３】
また、第２制御部２７は、第２電話番号を受信した場合において、第２記憶部２５に記憶されているアドレス帳情報に第１電話番号と第２電話番号が関連付けて記憶されていたとき、第２電話番号を第１電話番号に比べて、通話時に優先的に選択される電話番号として更新させる。
【００６４】
一方、第１制御部１７は、第２携帯電話装置２０から第２電話番号を記憶した旨を示す情報を受信したことに応じて、第１記憶部１５に記憶されているアドレス帳情報の第２携帯電話装置に対応するアドレス情報に、第２電話番号の送信を完了した旨を示す情報を付加する。また、第１制御部１７は、通話に係る通信の際に、他の携帯電話装置に対して第２電話番号を送信し、当該他の携帯電話装置から第２電話番号を記憶した旨を示す情報を受信したことに応じて、当該他の携帯電話装置に対応するアドレス情報に、第２電話番号の送信を完了した旨を示す情報を付加する。
【００６５】
続いて、第１制御部１７は、第１記憶部１５に記憶されているアドレス帳情報に基づいて、第２電話番号の送信を完了した件数を示す送信件数が、所定の閾値を超えたか否かを判定する。第１制御部１７は、第２携帯電話装置２０を含む他の携帯電話装置との通信の際に、第１電話番号を削除する旨の情報を送信する。なお、所定の閾値とは、例えば、第１記憶部１５のアドレス帳情報に登録されているアドレス情報に所定数（例えば０．８）を乗算することによって得られる値である。
【００６６】
また、第１電話番号を削除する旨の情報を送信するタイミングは、第１携帯電話装置１０のユーザにより決定されるものとしてもよい。すなわち、第１制御部１７は、図５に示すように、第１携帯電話装置１０のアドレス帳情報に基づいて、登録ユーザ数、送信完了件数、送信未完件数、送信達成率を第１表示部１１に表示させて、第１携帯電話装置１０のユーザに、送信達成率を把握させて、この情報に基づいて、第１電話番号を削除する旨の情報を送信するタイミングを決定させるようにしてもよい。
【００６７】
なお、送信完了件数は、第１携帯電話装置１０のアドレス帳情報に登録されているユーザのうち、第２電話番号の送信が完了したユーザの件数である。また、送信未完件数は、第２電話番号の送信が完了していない電話番号の件数である。また、送信達成率は、送信完了件数を登録ユーザ数で除算した値である。
【００６８】
さらに、第１制御部１７は、図６に示すように、第１記憶部１５に記憶されているユーザのうち、第２電話番号の送信が完了していないユーザを表示させて、第１携帯電話装置１０のユーザに、第２電話番号を送信するユーザを把握させるようにしてもよい。
【００６９】
第２制御部２７の説明に戻る。第２制御部２７は、第１携帯電話装置１０から、第１電話番号を削除する旨の情報を受信したことに応じて、第２記憶部２５のアドレス帳情報に記憶されている第１電話番号を削除する。
【００７０】
なお、第２制御部２７は、第２記憶部２５のアドレス帳情報に、第２電話番号を第１電話番号に関連付けて記憶させた後、アドレス帳情報から第１電話番号を削除するようにしてもよい。具体的には、第２制御部２７は、第２記憶部２５のアドレス帳情報に第２電話番号を第１電話番号に関連付けて記憶させた後、第１電話番号を通話先の電話番号とした第１携帯電話装置１０との通信が終了した場合に、アドレス帳情報から第１電話番号を削除するようにしてもよい。
【００７１】
また、第２制御部２７は、第１携帯電話装置１０から着信があった場合に、通信に使用されている第１携帯電話装置１０の電話番号が第２電話番号であるとき、第２記憶部２５のアドレス帳情報に記憶されている第１電話番号を削除するようにしてもよい。具体的には、第２制御部２７は、第２記憶部２５に第２電話番号を記憶させた際に、第１電話番号に削除する旨を示す情報を付加する。そして、第２制御部２７は、通信に使用されている第１携帯電話装置１０の電話番号が第２電話番号である場合に、第１電話番号に削除する旨を示す情報が付加されているとき、第１電話番号を削除する。
【００７２】
続いて、第１携帯電話装置１０及び第２携帯電話装置２０における電話番号を送信する処理の流れについて説明する。
【００７３】
図７は、第１携帯電話装置１０により第２電話番号を送信する場合の処理の流れの一例を示すシーケンス図である。なお、本シーケンス図に示される処理は、第１携帯電話装置１０と第２携帯電話装置２０との間での通話に係る通信の際に行われるものとする。
【００７４】
ステップＳ１において、第１携帯電話装置１０は、第２携帯電話装置２０に第１電話番号による発呼を行う。
ステップＳ２において、第１携帯電話装置１０の第１制御部１７は、ステップＳ１において第２携帯電話装置への発呼が行われたことに応じて、第１通信部１４によって第２携帯電話装置２０に対して第２電話番号を送信する。第２携帯電話装置２０の第２通信部２４は、第２電話番号を受信する。
【００７５】
なお、ステップＳ１及びＳ２の処理に代えて、第１携帯電話装置１０が、第２携帯電話装置２０に対して第１電話番号を使用して発信が行われる場合に、第２電話番号を合わせて送信するようにしてもよい。
また、ステップＳ２において、第１携帯電話装置１０の第１制御部１７は、第２電話番号を送信するか否かを確認する表示を行うようにしてもよい。また、第１携帯電話装置１０の第１制御部１７は、第２携帯電話装置２０の電話番号が第１記憶部１５のアドレス帳情報に記憶されていない場合は、ステップＳ２を実行せずに終了するようにしてもよい。
【００７６】
ステップＳ３において、第２携帯電話装置２０の第２制御部２７は、第２記憶部２５に第１電話番号が記憶されているか否かを検索する。ここでは、第２記憶部２５に第１電話番号が記憶されているものとする。
【００７７】
ステップＳ４において、第２携帯電話装置２０の第２制御部２７は、第２電話番号を記憶させるか否かについての選択画面を第２表示部２１に表示させ、第２携帯電話装置２０のユーザから選択を受け付ける。ここでは、ユーザから、第２電話番号を記憶することが選択されるものとする。
ステップＳ５において、第２携帯電話装置２０の第２制御部２７は、第２記憶部２５に対して第１電話番号に関連付けて第２電話番号を記憶させる。
【００７８】
ステップＳ６において、第２携帯電話装置２０の第２制御部２７は、第１携帯電話装置１０に対して、第２電話番号の記憶が完了した旨を示す情報を送信する。第１携帯電話装置１０の第１通信部１４は、当該情報を受信する。
【００７９】
ステップＳ７において、第１携帯電話装置１０の第１制御部１７は、第２携帯電話装置２０に対して第２電話番号の送信が完了した旨を、第１記憶部１５のアドレス帳情報に記憶されている第２携帯電話装置２０のアドレス情報に関連付けて記憶させる。
【００８０】
図８は、第１携帯電話装置１０により第２電話番号を送信する場合の処理の流れの別の一例を示すシーケンス図である。なお、本シーケンス図に示される処理は、第１携帯電話装置１０と第２携帯電話装置２０との間での通話に係る通信の際に行われるものとする。
【００８１】
ステップＳ１１において、第２携帯電話装置２０は、第１携帯電話装置１０に第１電話番号による発呼を行う。
ステップＳ１２において、第１携帯電話装置１０の第１制御部１７は、ステップＳ１において第２携帯電話装置からの発呼を受けたこと応じて、第１通信部１４を介して第２携帯電話装置２０に対して第２電話番号を送信する。第２携帯電話装置２０の第２通信部２４は、第２電話番号を受信する。
【００８２】
なお、ステップＳ１２において、第１携帯電話装置１０の第１制御部１７は、第２電話番号を送信するか否かを確認する表示を行うようにしてもよい。また、第１携帯電話装置１０の第１制御部１７は、第２携帯電話装置２０の電話番号が第１記憶部１５のアドレス帳情報に記憶されていない場合は、ステップＳ１２を実行せずに終了するようにしてもよい。
【００８３】
ステップＳ１３からＳ１７の処理は、図７のステップＳ３からＳ７の処理と同様であるので、説明を省略する。
【００８４】
なお、図７及び図８に示す処理の流れにおいては、第１携帯電話装置１０から第２電話番号を送信しているが、これに限られない。例えば、第１携帯電話装置１０と第２携帯電話装置２０とを結ぶ通信ネットワーク間に存在する基地局５０やサーバから、第２電話番号を第２携帯電話装置に送信するようにしてもよい。
【００８５】
図９は、第２携帯電話装置２０において第１電話番号を消去する場合の処理の流れの一例を示すシーケンス図である。なお、本シーケンス図に示される処理は、第１携帯電話装置１０と第２携帯電話装置２０との間での通話に係る通信の際に行われるものとする。
【００８６】
ステップＳ２１において、第１携帯電話装置１０は、第２携帯電話装置２０から第２電話番号による発呼が行われる。
ステップＳ２２において、第１携帯電話装置１０の第１制御部１７は、第１記憶部１５のアドレス帳情報に記憶されている第２携帯電話装置２０のアドレス情報を参照して、第２電話番号の送信が完了しているか否かを判定する。ここでは、アドレス帳情報に第２電話番号の登録が完了しているものとする。
【００８７】
ステップＳ２３において、第１携帯電話装置１０の第１制御部１７は、第１電話番号を削除する旨の情報を第２携帯電話装置２０に送信する。第２携帯電話装置２０の第２通信部２４は、当該情報を受信する。
ステップＳ２４において、第２携帯電話装置２０の第２制御部２７は、第２記憶部２５に記憶されている第１電話番号を削除する。
【００８８】
以上、本実施形態によれば、第１携帯電話装置１０の第１制御部１７により、第１電話番号による第２携帯電話装置２０との通信の際に、第２電話番号を第２携帯電話装置２０に送信し、第２携帯電話装置２０の第２通信部２４により、第１携帯電話装置１０との通信の際に、第１携帯電話装置１０から第２電話番号を受信する。
このようにすることで、通信システム１では、第１電話番号が第２携帯電話装置２０のユーザに対して既知の電話番号であって、第２電話番号が当該ユーザに対して未通知の電話番号である場合であっても、第１電話番号による通話の際に、第２電話番号を送信することができる。よって、通信システム１は、第２電話番号が一の電話番号を用いて通話を行っている場合に、自端末に対応する他方の電話番号を通知することができる。
【００８９】
また、通信システム１では、第２携帯電話装置２０の第２制御部２７は、第１電話番号による第１携帯電話装置１０との通信の際に第２電話番号を受信した場合において、第２記憶部２５に第１電話番号が記憶されているとき、第２電話番号を第１電話番号に関連付けて第２記憶部２５に記憶させる。このようにすることで、第２携帯電話装置２０は、第２携帯電話装置２０のユーザに、第２電話番号が第１電話番号に対応する第１携帯電話装置の新たな電話番号であることを把握させることができる。
【００９０】
また、通信システム１では、第２携帯電話装置２０の第２制御部２７は、第１電話番号による第１携帯電話装置１０との通信の際に、第２電話番号を受信した場合において、第２記憶部から第１電話番号を検索し、当該第１電話番号が記憶されていた場合に、当該第１電話番号に関連付けて第２電話番号を記憶させる。このようにすることで、第２携帯電話装置２０は、第２記憶部２５に記憶されている第１電話番号を検索して第１電話番号が記憶されているか否かについて判定することができる。
【００９１】
また、通信システム１では、第２携帯電話装置２０の第２制御部２７は、第２電話番号を第１電話番号より優先度の高い電話番号として第２記憶部２５に記憶させる。このようにすることで、第２携帯電話装置２０は、新たに登録された第２電話番号を第１電話番号に比べて優先度が高いものとして、第２携帯電話装置２０のユーザに把握させることができる。
【００９２】
また、通信システム１では、第２携帯電話装置２０の第２制御部２７は、第２電話番号を記憶させた場合、第１電話番号を第２記憶部２５から削除する。このようにすることで、第２携帯電話装置２０は、第１携帯電話装置１０に発信する場合に、第２携帯電話装置２０のユーザに、第２電話番号のみ選択させることができる。
【００９３】
また、通信システム１では、第２携帯電話装置２０の第２制御部２７は、第１電話番号による通信が終了した際に、第１電話番号を第２記憶部２５から削除する。このようにすることで、第２携帯電話装置２０は、第１電話番号による第１携帯電話装置１０との通話が終了したことをもって、次回に第１携帯電話装置１０に発信する場合に、第２携帯電話装置２０のユーザに、第２電話番号のみを選択させることができる。
【００９４】
また、通信システム１では、第２携帯電話装置２０の第２制御部２７は、第２電話番号による第１携帯電話装置１０との通信の際に、第２電話番号が記憶されている場合、第１電話番号を削除する。このようにすることで、第２携帯電話装置２０は、第１携帯電話装置１０との通話に係る通信において、第２電話番号が使用され始めたことをもって、第２携帯電話装置２０のユーザに、第２電話番号のみ選択させることができる。
【００９５】
また、通信システム１では、第２携帯電話装置２０の第２制御部２７は、第２電話番号を記憶させた場合、第２電話番号を記憶した旨を示す情報を第２通信部２４により第１携帯電話装置１０に送信する。このようにすることで、第２携帯電話装置２０は、第１携帯電話装置１０に、第２電話番号を記憶した旨を通知することができる。
【００９６】
また、通信システム１では、第１携帯電話装置１０の第１制御部１７は、第１電話番号による第１携帯通信端末との通信の際に、当該通信における通信回線を介して第２電話番号を送信する。
このようにすることで、第１携帯電話装置１０は、通話に係る通信を利用して第２電話番号を送信することができる。
【００９７】
また、通信システム１では、第１携帯電話装置１０の第１制御部１７は、第２携帯電話装置２０への第２電話番号の送信件数が所定の閾値に達した後、第２携帯電話装置２０との通信の際に、第１電話番号を削除する旨の信号を送信する。このようにすることで、第１携帯電話装置１０は、所定の閾値に基づいて、第２携帯電話装置２０に対して、第１電話番号を削除する旨の信号を送信するか否かを決定することができる。
【００９８】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００９９】
本実施形態では、第１携帯電話装置１０は、第１電話番号による通信時に第２電話番号を送信させるようにしたが、これに限らない。第１携帯電話装置１０は、第２電話番号による通信時に第１電話番号を送信させるようにしてもよい。
【０１００】
また、第１携帯電話装置１０は、第１電話番号を使用した通話に係る通信時に第２電話番号を送信させるようにしたが、第１電話番号を使用した第１ショートメッセージサービスに係る通信時に、第２電話番号を送信させるようにしてもよい。
【０１０１】
また、例えば、第１制御部１７が、第１メールアドレスを送信元メールアドレスとして第２携帯電話装置２０にメールを送信する際に、第２メールアドレスを第２携帯電話装置２０に送信し、第２携帯電話装置２０の第２通信部２４が、当該第２メールアドレスを受信するようにしてもよい。そして、第２携帯電話装置２０の第２制御部２７が、第１メールアドレスが第２記憶部２５のアドレス帳情報に記憶されているか否かについて判定し、第１メールアドレスが記憶されている場合に、さらに第２メールアドレスが記憶されていないとき、当該第２メールアドレスを第１メールアドレスに記憶させるようにしてもよい。
【０１０２】
また、第１制御部１７が、第２メールアドレスを送信する場合に、第１メールアドレスを送信元としたメールのメッセージ本文に第２メールアドレスを自動的に挿入するようにしてもよい。そして、第２制御部２７が、第１メールアドレスを送信元としたメールを受信した際に、メッセージ本文を解析し、第２メールアドレスが含まれているか否かについて判定し、その後、第２メールアドレスを記憶させる処理を実行するようにしてもよい。
【符号の説明】
【０１０３】
１  通信システム
１０  第１携帯電話装置
１４  第１通信部
１５  第１記憶部
１７  第１制御部
２０  第２携帯電話装置
２４  第２通信部
２５  第２記憶部
２７  第２制御部
【図１】
2012175462.tif 000003
【図２】
2012175462.tif 000004
【図３】
2012175462.tif 000005
【図４】
2012175462.tif 000006
【図５】
2012175462.tif 000007
【図６】
2012175462.tif 000008
【図７】
2012175462.tif 000009
【図８】
2012175462.tif 000010
【図９】
2012175462.tif 000011